(57)【要約】【課題】プラグの着脱時に、ライティングダクト側の導体と照明器具側の受電部との間に発生するアーク放電をより確実に抑制し、過熱等の不具合を防止できる照明器具、および照明システムを提供する。【解決手段】プラグ１は、ライティングダクト２に装着された場合に導体２２に接触する栓刃１３ａと、取り付け完了位置にあるときと取り付け完了位置にないときとで位置が変わる操作部１５と、操作部１５の位置に応じて接点状態が切り替わるスイッチＳとを備える。灯具３は、ダイオードモジュール３０１へ点灯電力を供給する点灯回路３２と、点灯回路３２の動作を制御する制御部３４と、スイッチＳの接点状態に応じて、取り付け完了位置にあるか否かを判定する判定部３３とを備える。制御部３４は、判定部３３の判定結果に基づいて、取り付け完了位置になければ、点灯回路３２がダイオードモジュール３０１へ供給する電力を抑制する。【選択図】図１
2014032869.tif 000002
【特許請求の範囲】
【請求項１】
光源と、
直流電力が通電された導体を内設したライティングダクトに着脱自在に構成されて、前記ライティングダクトに取り付けられたときに前記導体に接触する受電部を具備し、この受電部を介して前記導体から直流電力を供給されるプラグと、
前記プラグを介して供給された前記直流電力を入力として前記光源へ点灯電力を供給する点灯回路と、
前記点灯回路の動作を制御する制御部と、
前記受電部が前記導体に対して所定状態で接する取り付け完了位置にあるか否かに応じて変位する操作部と、
前記操作部の位置に応じて接点状態が切り替わるスイッチと、
前記スイッチの接点状態に応じて、前記受電部が前記取り付け完了位置にあるか否かを判定する判定部とを備え、
前記制御部は、前記判定部の判定結果に基づいて、前記受電部が前記取り付け完了位置にない場合、前記受電部が前記取り付け完了位置にある場合に比べて、前記点灯回路が前記光源へ供給する電力を抑制する
ことを特徴とする照明器具。
【請求項２】
前記制御部は、前記判定部の判定結果に基づいて、前記受電部が前記取り付け完了位置にない場合、前記光源を消灯させることを特徴とする請求項１記載の照明器具。
【請求項３】
前記制御部は、前記判定部の判定結果に基づいて、前記受電部が前記取り付け完了位置にない場合、前記光源を調光点灯させることを特徴とする請求項１記載の照明器具。
【請求項４】
前記ライティングダクトは、長尺中空のケースの一面に長手方向に開口部を形成し、前記ケースの内部に前記長手方向に沿って前記導体を保持し、前記ケースの一面側に前記プラグが取り付けられ、
前記受電部は、前記プラグが所定の向きで前記開口部を介して前記ケース内に挿入されて回動することによって、前記導体に接する
ことを特徴とする請求項１乃至３いずれか記載の照明器具。
【請求項５】
直流電力が通電された導体を内設したライティングダクトと、
請求項１乃至４いずれか記載の１乃至複数の照明器具と
を備えることを特徴とする照明システム。
【発明の詳細な説明】
【技術分野】
【０００１】
本発明は、ライティングダクトに取り付けられる照明器具、およびこの照明器具を用いた照明システムに関するものである。
【背景技術】
【０００２】
従来、交流電源に接続されたライティングダクトに取り付けられる照明器具がある（例えば、特許文献１参照）。
【０００３】
一方、近年、発光ダイオードを光源とした照明器具が増加しており、このような照明器具が、店舗等においてライティングダクトに取り付けて使用されている。発光ダイオードは直流電流を流すことによって発光するため、発光ダイオードを用いた照明器具には、商用の交流電源を直流に変換する電源部を備えたものがある。しかしながら、交流を直流に変換する際には損失が発生してしまう。
【０００４】
そこで、直流電源に接続されたライティングダクトから直流電力を受電して、交流／直流変換を行うことなく、発光ダイオード等の光源を点灯させる照明器具が提案されている（例えば、特許文献２参照）。
【０００５】
しかし、ライティングダクトに照明器具を着脱する際には、ライティングダクト側の導体と照明器具側の受電部との接触箇所でアーク放電が発生する場合がある。特に、直流給電では、交流給電とは異なり、このアーク放電が継続してしまう。
【０００６】
そこで、直流給電のライティングダクトに照明器具を着脱する場合、アーク放電の発生を抑えるため、各照明器具のプラグにライティングダクトからの給電を電気的に導通・遮断するスイッチを設けることも提案された（例えば、特許文献３参照）。そして、ライティングダクトに照明器具を着脱する場合、ユーザがプラグのスイッチをオフ操作し、ライティングダクトからの給電を電気的に遮断することによって、アーク放電の発生を抑制している。
【先行技術文献】
【特許文献】
【０００７】
【特許文献１】特開２００1−９３６７７号公報
【特許文献２】特開平５−４７４７６号公報
【特許文献３】実用新案登録第３１１０９２５号公報
【発明の概要】
【発明が解決しようとする課題】
【０００８】
しかしながら、上記特許文献３では、ユーザの操作忘れ等によってプラグのスイッチがオンしている状態で、照明器具をライティングダクトに着脱させてしまうことが発生し得る。この場合、ライティングダクトから照明器具への給電が導通可能な状態で、照明器具をライティングダクトに着脱させるので、ライティングダクト側の導体と照明器具側の受電部との接触箇所でアーク放電が発生し、過熱等の不具合が生じるという課題があった。
【０００９】
本発明は、上記事由に鑑みてなされたものであり、その目的は、プラグの着脱時に、ライティングダクト側の導体と照明器具側の受電部との間に発生するアーク放電をより確実に抑制し、過熱等の不具合を防止できる照明器具、および照明システムを提供することにある。
【課題を解決するための手段】
【００１０】
本発明の照明器具は、光源と、直流電力が通電された導体を内設したライティングダクトに着脱自在に構成されて、前記ライティングダクトに取り付けられたときに前記導体に接触する受電部を具備し、この受電部を介して前記導体から直流電力を供給されるプラグと、前記プラグを介して供給された前記直流電力を入力として前記光源へ点灯電力を供給する点灯回路と、前記点灯回路の動作を制御する制御部と、前記受電部が前記導体に対して所定状態で接する取り付け完了位置にあるか否かに応じて変位する操作部と、前記操作部の位置に応じて接点状態が切り替わるスイッチと、前記スイッチの接点状態に応じて、前記受電部が前記取り付け完了位置にあるか否かを判定する判定部とを備え、前記制御部は、前記判定部の判定結果に基づいて、前記受電部が前記取り付け完了位置にない場合、前記受電部が前記取り付け完了位置にある場合に比べて、前記点灯回路が前記光源へ供給する電力を抑制することを特徴とする。
【００１１】
この発明において、前記制御部は、前記判定部の判定結果に基づいて、前記受電部が前記取り付け完了位置にない場合、前記光源を消灯させることが好ましい。
【００１２】
この発明において、前記制御部は、前記判定部の判定結果に基づいて、前記受電部が前記取り付け完了位置にない場合、前記光源を調光点灯させることが好ましい。
【００１３】
この発明において、前記ライティングダクトは、長尺中空のケースの一面に長手方向に開口部を形成し、前記ケースの内部に前記長手方向に沿って前記導体を保持し、前記ケースの一面側に前記プラグが取り付けられ、前記受電部は、前記プラグが所定の向きで前記開口部を介して前記ケース内に挿入されて回動することによって、前記導体に接することが好ましい。
【００１４】
本発明の照明システムは、直流電力が通電された導体を内設したライティングダクトと、本発明の１乃至複数の照明器具とを備えることを特徴とする。
【発明の効果】
【００１５】
以上説明したように、本発明では、プラグをライティングダクトに着脱する間は光源へ供給される電力が抑制されているので、ライティングダクト側の導体と照明器具側の受電部との間に発生するアーク放電をより確実に抑制し、過熱等の不具合を防止できるという効果がある。
【図面の簡単な説明】
【００１６】
【図１】実施形態１のプラグ、ライティングダクト、灯具で構成される電気回路の概略を示す回路図である
【図２】同上の電力変換部の構成を示す回路図である。
【図３】（ａ）〜（ｃ）同上の各部の動作を示すシーケンス図である
【図４】同上の灯具の構成を示す一部を破断した断面図である
【図５】（ａ）（ｂ）同上のプラグの構成を示す断面図である
【図６】同上の操作部を取り外した本体の簡略化した構成を示す斜視図である。
【図７】（ａ）（ｂ）同上の操作部の構成を示す平面図である。
【図８】同上の台部の構成を示す平面図である。
【図９】（ａ）（ｂ）同上のプラグのライティングダクトへの取付構成を示す破断図である。
【図１０】同上の照明システムの構成を示す概略図である。
【図１１】（ａ）〜（ｃ）実施形態２の各部の動作を示すシーケンス図である
【発明を実施するための形態】
【００１７】
以下、本発明の実施の形態を図面に基づいて説明する。
【００１８】
（実施形態１）
図１０は、プラグ１、ライティングダクト２（以下、単に「ダクト２」という）、灯具３を用いた照明システムの概略を示す。ここでは、プラグ１にアーム４を介して灯具３が取り付けられることによって照明器具Ａ（例えば、スポットライト等）を構成している。
【００１９】
ダクト２は、例えば天井面に取り付けられており、天井裏に配置された直流電源装置ＰＳに接続されている。直流電源装置ＰＳが出力する直流電圧（例えば、ＤＣ２４Ｖ）は、配線Ｗを介してダクト２の端部に設けたフィードイン部ＦＤに入力される。ダクト２の後述する導体２２は、フィードイン部ＦＤに入力された直流電圧が印加される。そして、ダクト２には、１乃至複数の照明器具Ａ（図１０では３台）が装着されており、照明器具Ａの各々は、ダクト２から直流電圧を供給されて、点灯する。
【００２０】
なお、直流電源装置ＰＳは、交流を直流に変換する装置でもよいし、電池等でもよい。
【００２１】
図４は、アーム４に取り付けられた灯具３の断面図を示す。灯具３は、光源ユニット３Ａと、回路ユニット３Ｂとで構成される。なお、以下の説明では、図４において上下方向を規定している。
【００２２】
光源ユニット３Ａは、光源モジュール３００が、放熱板３１０に取り付けられている。光源モジュール３００は、例えば光源である１乃至複数の発光ダイオードからなるダイオードモジュール３０１がアルミ基板３０２に実装されたものであって、アルミ基板３０２の実装面側には樹脂製のレンズ３０３が正面に取り付けられている。放熱板３１０は、ダイオードモジュール３０１で発生する熱を放熱するためにアルミダイキャスト製で形成され、一面に光源モジュール３００を実装し、他面に放熱フィン３１１を形成している。放熱フィン３１１の外周はカバー３１２で覆われており、カバー３１２に設けたねじ孔にアーム４が回動自在に取り付けられる。なお、ダイオードモジュール３０１は、赤色、青色、緑色の発光ダイオードを組合せたものであってもよいし、発光ダイオードが蛍光体層等の波長変換部材により覆われているものであってもよいし、それらを組合せたものであってもよい。
【００２３】
回路ユニット３Ｂは、絶縁材料で形成されたブラケット３２１が、放熱フィン３１１の先端面に載置されている。ブラケット３２１は、ボス３２１ｃを突設した平板部３２１ａと、平板部３２１ａの外縁から略垂直に折曲されたリブ部３２１ｂとで構成される。そして、ボス３２１ｃは、ねじ３２２が挿通する挿通孔（図示なし）を軸方向に設けており、このボス３２１ｃの挿通孔は、筒状のスペーサ３２３を介して、放熱フィン３１１の先端に設けたねじ孔に連通している。
【００２４】
さらに、ボス３２１ｃ上には、後述の電力変換部３０を構成する各部品が実装されたプリント基板３２４を取り付けており、プリント基板３２４は、ボス３２１ｃを挿通するねじ３２２によって、スペーサ３２３を介して、放熱フィン３１１に固定されている。
【００２５】
また、放熱板３１０の放熱フィン３１１側には、ブラケット３２１およびプリント基板３２４を覆うように、一面を開口したアルミニウム製のカバー３２５が取り付けられており、放熱フィン３１１のカバー３１２にねじ固定されている。
【００２６】
そして、ダイオードモジュール３０１が実装されたアルミ基板３０２と、電力変換部３０が実装されたプリント基板３２４との間は、リード線３３１で電気的に接続されており、ダイオードモジュール３０１へリード線３３１を介して点灯電力が供給される。リード線３３１の一端は、アルミ基板３０２上に半田付けされ、リード線３３１の他端は、放熱板３１０の挿通孔３１０ａを介してプリント基板３２４上にコネクタ接続される。
【００２７】
アーム４は、灯具３を挟持する一対の保持片４１と、一対の保持片４１同士を結合するアーム回転軸４２とを備える。灯具３は、例えば、一対の保持片４１にそれぞれ取り付けられた軸ねじによりアーム４に回動自在に支持される。さらに、アーム回転軸４２の中央部には、プラグ１の下面が螺嵌されるねじ孔を形成した円柱状の突起４２ａを設けている。この突起４２ａのねじ孔は、プラグ１が３６０度以上回転しないように、ナットとアームの回転を制限するストッパ付ワッシャーを有するストッパ部（図示なし）を設けている。また、突起４２ａを含むアーム回転軸４２の中央部には、後述の電源線Ｙ１や制御線Ｙ２を通すための挿通孔を形成している。
【００２８】
次に、プラグ１の構成を示す図４をＦ−Ｆ線で切った断面図を図５（ａ）に、図４をＧ−Ｇ線で一部破断した断面図を図５（ｂ）にそれぞれ示す。なお、以下、図５（ａ）の手前を前面として説明する。
【００２９】
本体１ａ，１ｂを組み合わせて構成されるプラグ１は、中空円柱状のプラグ本体１１を備える。そして、プラグ本体１１の上面には、プラグ取付部１２が設けられており、プラグ取付部１２がダクト２に取り付けられる。そして、プラグ取付部１２は、矩形柱状の柱体部１２ａの両側面から平板状の取付板１２ｂを各々突設している。すなわち、一対の取付板１２ｂは、互いに反対方向に突出している。
【００３０】
プラグ本体１１内には、一対の導体板１３を取り付けた台部１４が嵌め込まれている。台部１４は、直方体状の基部１４ａと、基部１４ａの前面の略中央に取り付けられた平板状の突片１４ｂとで構成される。
【００３１】
導体板１３は、連結片１３ｂと、連結片１３ｂの一端側を略直角に折曲した栓刃１３ａ（受電部）と、連結片１３ｂの他端側に設けた取付片１３ｃとを備える。
【００３２】
取付片１３ｃは、灯具３へ導出する電源線Ｙ１の一端を接続する端子部１３ｄが設けられている。そして、取付片１３ｃは、台部１４の前面に沿って配置され、端子部１３ｄは、電源線Ｙ１を、台部１４の前面側にねじ留めする。また、連結片１３ｂは、突片１４ｂの側縁に対向して上下方向に沿って配置され、栓刃１３ａは、突片１４ｂから離れる方向に折曲している。
【００３３】
そして、プラグ本体１１に台部１４を収納すると、柱体部１２ａの両側面に設けた開口１２ｃから栓刃１３ａが露出し、栓刃１３ａの各々は、取付板１２ｂの突出方向と同方向に延びて、柱体部１２ａの両側面より突出している。すなわち、一対の栓刃１３ａは、互いに反対方向に突出している。
【００３４】
また、本体１ｂの側面には、取付板１２ｂの突出方向に直交する方向（図５（ｂ）の右方向）において、上方を開放した溝部１１１が形成されており、略矩形の操作部１５が、上下方向に変位可能に溝部１１１に装着されている。
【００３５】
台部１４、操作部１５を取り外した本体１ｂの簡略化した斜視図を図６に示す。また、操作部１５を台部１４側から見た平面図を図７（ａ）に、操作部１５を底面側から見た平面図を図７（ｂ）に示す。また、台部１４を操作部１５側から見た平面図を図８に示す。
【００３６】
操作部１５の裏面には、下面を開放してばね１６を収容する断面Ｕ字状のばね収容部１５ａを形成し、ばね１６の上端は、ばね収容部１５ａの上面に当接し、ばね１６の下端は、本体１ｂに設けた溝部１１１の段部１１１ａに当接する。そして、操作部１５の裏面には、突起１５ｂが設けられており、突起１５ｂが、溝部１１１の上端縁に下方から当接した状態が、操作部１５の上限位置になる。操作部１５が上限位置にある場合、操作部１５の上端に形成した嵌合部１５ｄが、溝部１１１の開放端より上方に突出する。そして、操作部１５を上限位置から下方へ変位させた場合、ばね１６が圧縮するように構成されている。
【００３７】
操作部１５の裏面において、突起１５ｂの下方に設けた一対の係合突起１５ｃ，１５ｃ間には、略Ｌ字状の接点１７が挿入されている。この接点１７は、係合突起１５ｃ，１５ｃ間に固定される。
【００３８】
また、操作部１５の裏面に対向する基部１４ａの後面には、下辺を開放した略コの字状の突起１４ｂが形成されている。そして、この突起１４ｂ内には、上端を鋭角に折曲した弾性片１８ａを有する接点１８が取り付けられており、弾性片１８ａは、操作部１５の裏面側に突出している。
【００３９】
そして、操作部１５が上限位置にある場合、接点１７は、接点１８の弾性片１８ａより上方に位置しており、接点１７は弾性片１８ａに接触していない。一方、操作部１５が上限位置から下方に移動した場合、接点１７も下方に移動して、接点１７は弾性片１８ａに接触する。この接点１７，１８の各々は、一対の制御線Ｙ２，Ｙ２の各一端が半田付けされている。なお、この接点１７、１８が、本発明のスイッチＳ（図１参照）を構成する。
【００４０】
プラグ本体１１の下面にはケーブルブッシュ１９が装着されており、保護チューブＴＵによって覆われた電源線Ｙ１、制御線Ｙ２は、ケーブルブッシュ１９を通って、突起４２ａ内を挿通し、アーム回転軸４２の中央部から外部へ導出される。電源線Ｙ１、制御線Ｙ２を覆った保護チューブＴＵは、灯具３のカバー３２５の底面に設けたケーブルブッシュ３４１を通って、カバー３２５内に導入される（図４参照）。
【００４１】
カバー３２５内に導入された電源線Ｙ１、制御線Ｙ２の各他端は、電力変換部３０が実装されたプリント基板３２４にコネクタ接続される。
【００４２】
次に、図１は、プラグ１、ダクト２、灯具３で構成される電気回路の概略を示し、図２は、電力変換部３０の回路構成を示す。
【００４３】
図１に示すように、灯具３においてプリント基板３２４に実装された電力変換部３０は、フィルタ回路３１、点灯回路３２、判定部３３、制御部３４を備える。
【００４４】
図２に示すように、フィルタ回路３１は、電源線Ｙ１を介して供給される直流電圧の両極に介挿したチョークコイルＬ１と、チョークコイルＬ１の入力端間に接続したコンデンサＣ１と、チョークコイルＬ１の出力端間に接続したコンデンサＣ２とで構成される。このフィルタ回路３１は、電力変換部３０から発生する雑音がダクト２側に伝導するのを防止する。
【００４５】
点灯回路３２は、インダクタＬ２と、スイッチング素子Ｑ１と、抵抗Ｒ１と、ダイオードＤ１とを備える。そして、フィルタ回路３１の出力端間において、インダクタＬ２、ダイオードモジュール３０１、スイッチング素子Ｑ１、抵抗Ｒ１の直列回路が構成される。さらに、インダクタＬ２とダイオードモジュール３０１との直列回路には、回生用のダイオードＤ１が並列接続されている。そして、スイッチング素子Ｑ１がオン・オフ駆動されることで、ダイオードモジュール３０１へ点灯電力が供給される。
【００４６】
判定部３３は、コンパレータＣＰ１と、抵抗Ｒ２と、コンデンサＣ３と、直流電源Ｅ１とを備える。フィルタ回路３１が出力する直流電圧は、抵抗Ｒ２とコンデンサＣ３との直列回路に印加され、コンパレータＣＰ１の非反転入力には、コンデンサＣ３の両端電圧が入力される。また、コンパレータＣＰ１の反転入力には、直流電源Ｅ１の電圧が入力される。さらに、コンデンサＣ３の両端間は、制御線Ｙ２を介してプラグ１のスイッチＳが接続されている。
【００４７】
すなわち、判定部３３は、スイッチＳがオフ（接点１７−接点１８間が非導通）した場合、コンパレータＣＰ１の出力がＨレベルになり、スイッチＳがオン（接点１７−接点１８間が導通）した場合、コンパレータＣＰ１の出力がＬレベルになる。
【００４８】
制御部３４は、コンパレータＣＰ２と、論理回路Ｋ１と、駆動回路Ｋ２と、直流電源Ｅ２とを備える。コンパレータＣＰ２は、抵抗Ｒ１の両端電圧を非反転入力に入力し、直流電源Ｅ２の電圧を反転入力に入力する。すなわち、コンパレータＣＰ２は、ダイオードモジュール３０１に供給される電流（以下、単に「ＬＥＤ電流」という）と閾値とを比較し、この比較結果を出力する。論理回路Ｋ１は、この比較結果に基づいて、ＬＥＤ電流を所望の電流値に制御するための制御信号を、駆動回路Ｋ２へ出力する。駆動回路Ｋ２は、この制御信号に基づいて、スイッチング素子Ｑ１をオン・オフ駆動するための駆動信号を、抵抗Ｒ３を介して出力する。
【００４９】
さらに、論理回路Ｋ１は、判定部３３の出力も接続されている。そして、論理回路Ｋ１は、スイッチＳがオフした場合（コンパレータＣＰ１の出力がＨレベル）、コンパレータＣＰ２の比較結果に基づいて、ＬＥＤ電流を定格電流値に制御する。また、論理回路Ｋ１は、スイッチＳがオンした場合（コンパレータＣＰ１の出力がＬレベル）、ＬＥＤ電流をゼロ（消灯状態）に制御する。
【００５０】
なお、直流電源Ｅ１およびＥ２は、直流電圧を抵抗分割して入力する制御電源としての役割を果たすものである。
【００５１】
次に、プラグ１をダクト２に着脱するときの動作について、図３（ａ）〜（ｃ）、図９（ａ）（ｂ）を用いて、以下説明する。
【００５２】
まず、ダクト２は、長尺中空のケース２１の長手方向に開口部２１ｄを形成し、ケース２１の内部に長手方向に沿って一対の導体２２を保持している。この一対の導体２２間には、例えばＤＣ２４Ｖが印加されている。
【００５３】
ケース２１は、断面が略矩形状の長尺中空に形成されており、後壁部２１ａが、天井面、壁面等の構造面に取り付けられる。後壁部２１ａの両側端縁（すなわち、長手方向の端縁）からは、側壁部２１ｂが略垂直に延設されており、両側壁部２１ｂの端縁から互いに対向する方向に、一対の前壁部２１ｃが延設される。そして、一対の前壁部２１ｃの間には、ケース２１の長手方向に沿った開口部２１ｄが形成されている。
【００５４】
そして、両側壁部２１ｂの各内面には、断面が略Ｈ状の突壁２１ｅが立設している。突壁２１ｅと前壁部２１ｃとの間には、挿入溝２１ｆがケース２１の長手方向に沿って形成される。さらに、突壁２１ｅの先端には、ケース２１の長手方向に沿って挿入溝２１ｇが形成されており、挿入溝２１ｇの底面に長尺状の導体２２を取り付けている。
【００５５】
まず、プラグ１をダクト２に取り付ける場合、プラグ１のプラグ取付部１２は、取付板１２ｂの突出方向（栓刃１３ａの突出方向）をダクト２の長手方向に合わせた状態で、ダクト２の開口部２１ｄに挿入される。このとき、操作部１５の嵌合部１５ｄの上端が、ダクト２の前壁部２１ｃの外面に当接（干渉）し、操作部１５は下方に変位し、スイッチＳがオンする（図３に示す時間ｔ１の状態）。そして、開口部２１ｄに挿入されたプラグ取付部１２は、プラグ１が一方向へ回動することによって、取付板１２ｂが、挿入溝２１ｆに挟み込まれながら摺動する。
【００５６】
図９（ａ）は、回動中のプラグ１とダクト２との状態を示しており、プラグ１が一方向へ回動している間、操作部１５の嵌合部１５ｄの上端が、ダクト２の前壁部２１ｃの外面に当接（干渉）している。したがって、操作部１５は、下方に変位して、前壁部２１ｃの外面に摺動した状態を維持するので、スイッチＳはオン状態を維持する。
【００５７】
そして、プラグ１が回動している途中で、栓刃１３ａが導体２２に接触した時点から、導体２２からプラグ１を介して、電力変換部３０への給電が開始され、電力変換部３０は通電状態になる（図３に示す時間ｔ２の状態）。しかし、スイッチＳはオン状態を維持しているので、判定部３３の出力はＬレベルとなり、論理回路Ｋ１は、ＬＥＤ電流をゼロに制御して、ダイオードモジュール３０１は消灯状態を維持する。
【００５８】
そして、図９（ｂ）に示すように、プラグ取付部１２が一方向へ略９０度回動すると、プラグ本体１１の上面の外周の一部に設けた切欠部１１２が、ケース２１の下面における一方の側縁端に設けた凸部２１ｈに係止する。このとき、プラグ取付部１２は、取付板１２ｂの突出方向がダクト２の短手方向に一致した状態となり、操作部１５の嵌合部１５ｄは、ダクト２の開口部２１ｄに対向して位置する。そして、操作部１５は、圧縮状態にあるばね１６の伸張力によって上方に移動し、嵌合部１５ｄは、上方に変位して、ダクト２の開口部２１ｄに嵌まり込み、スイッチＳはオフする（図３に示す時間ｔ３の状態）。したがって、判定部３３の出力はＨレベルとなり、論理回路Ｋ１は、ＬＥＤ電流を定格電流に制御して、ダイオードモジュール３０１を全点灯（光出力１００%）させる。
【００５９】
ここで、プラグ取付部１２が一方向へ９０度回動するまでは、栓刃１３ａの先端面が導体２２の表面に十分に接触していない中途半端な接触状態である。そこで、本実施形態では、プラグ１をダクト２に装着する場合、プラグ取付部１２（栓刃１３ａ）が一方向へ９０度回動した取り付け完了位置に達するまでは、プラグ１のスイッチＳを強制的にオンさせている。すなわち、栓刃１３ａの先端面が導体２２の表面に十分に接触していない中途半端な接触状態では、ダイオードモジュール３０１は消灯状態を維持するので、灯具３へ供給される電力は抑えられる。したがって、プラグ１をダクト２に装着する際に、栓刃１３ａと導体２２との間に発生するアーク放電がより確実に抑制され、過熱等の不具合を防止することができる。
【００６０】
なお、取り付け完了位置とは、栓刃１３ａの先端面が導体２２の表面に十分に接触することが可能になる回動位置のことであり、本実施形態では、プラグ取付部１２（栓刃１３ａ）が上述のように一方向へ９０度回動した位置である。
【００６１】
また、取り付け完了位置において、操作部１５の嵌合部１５ｄがダクト２の開口部２１ｄに嵌まり込むことによって、操作部１５は、プラグ１（の栓刃１３ａ）の回動位置を取り付け完了位置に固定する位置決め部を兼用している。したがって、構造の簡略化を図ることができる。
【００６２】
なお、操作部１５が上述の位置決め部を兼用せず、操作部１５とは別に専用の位置決め部を設ける構成でもよい。
【００６３】
次に、プラグ１をダクト２から取り外す場合、ユーザが、操作部１５の突条１５ｅに指をかけて、操作部１５を下方に押し下げることによって、嵌合部１５ｄは、下方に変位して、ダクト２の開口部２１ｄとの嵌合状態が解除される。そして、操作部１５が下方に変位することによって、スイッチＳがオンする。スイッチＳがオンすると、判定部３３の出力はＬレベルとなり、論理回路Ｋ１は、ＬＥＤ電流をゼロに制御して、ダイオードモジュール３０１を消灯させる（光出力０％）（図３に示す時間ｔ４の状態）。
【００６４】
そして、プラグ取付部１２は、プラグ１が他方向へ回動することによって、取付板１２ｂが、挿入溝２１ｆに挟み込まれながら摺動する。
【００６５】
プラグ１が他方向へ回動している間、操作部１５の嵌合部１５ｄの上端が、ダクト２の前壁部２１ｃの外面に当接（干渉）している。而して、操作部１４は下方に変位して、嵌合部１４ｂの上端は、ダクト２の前壁部２１ｃの外面に摺動した状態を維持する。したがって、プラグ１が他方向へ回動している間、ダイオードモジュール３０１は消灯状態を維持するので、灯具３へ供給される電力は抑えられる。
【００６６】
そして、プラグ１が回動している途中で、栓刃１３ａが導体２２から離れた時点で、導体２２からプラグ１を介した電力変換部３０への給電が遮断され、電力変換部３０は停止状態になる（図３に示す時間ｔ５の状態）。この栓刃１３ａが導体２２から離れる瞬間、灯具３へ供給される電力は抑えられているため、プラグ１をダクト２から取り外す際に、栓刃１３ａと導体２２との間に発生するアーク放電がより確実に抑制され、過熱等の不具合を防止することができる。
【００６７】
そして、プラグ取付部１２が他方向へ略９０度回動すると、取付板１２ｂの突出方向（栓刃１３ａの突出方向）がダクト２の長手方向に一致し、プラグ取付部１２をダクト２の開口部２１ｄから外すことができる。このとき、操作部１５は、圧縮状態にあるばね１６の伸張力によって上方に移動し、スイッチＳはオフする（図３に示す時間ｔ６の状態）。
【００６８】
したがって、プラグ１をダクト２に着脱する間はダイオードモジュール３０１が消灯しており、栓刃１３ａと導体２２との間に発生するアーク放電がより確実に抑制され、過熱等の不具合を防止することができる。
【００６９】
また、ダクト２に装着された複数の灯具３が点灯している状態であっても、これらの灯具３を消灯させることなく、任意の灯具３をダクト２に着脱することができる。
【００７０】
（実施形態２）
本実施形態において、プラグ１をダクト２に着脱するときの各部の動作を、図１１（ａ）〜（ｃ）に示す。なお、他の構成は実施形態１と同様であり、同様の構成には同一の符号を付して説明は省略する。
【００７１】
本実施形態の論理回路Ｋ１は、スイッチＳがオフした場合（コンパレータＣＰ１の出力がＨレベル）、コンパレータＣＰ２の比較結果に基づいて、ＬＥＤ電流を定格電流値に制御する。また、論理回路Ｋ１は、スイッチＳがオンした場合（コンパレータＣＰ１の出力がＬレベル）、ＬＥＤ電流を定格電流より低い所定電流に調整して、ダイオードモジュール３０１の光出力を所定の調光レベルに制御する（調光点灯）。
【００７２】
次に、プラグ１をダクト２に着脱するときの動作について、図１１（ａ）〜（ｃ）、図９（ａ）（ｂ）を用いて、以下説明する。
【００７３】
まず、プラグ１をダクト２に取り付ける場合、プラグ１のプラグ取付部１２は、取付板１２ｂの突出方向（栓刃１３ａの突出方向）をダクト２の長手方向に合わせた状態で、ダクト２の開口部２１ｄに挿入される。このとき、操作部１５の嵌合部１５ｄの上端が、ダクト２の前壁部２１ｃの外面に当接（干渉）し、操作部１５は下方に変位し、スイッチＳがオンする（図１１に示す時間ｔ１１の状態）。そして、開口部２１ｄに挿入されたプラグ取付部１２は、プラグ１が一方向へ回動することによって、取付板１２ｂが、挿入溝２１ｆに挟み込まれながら摺動する。
【００７４】
図９（ａ）は、回動中のプラグ１とダクト２との状態を示しており、プラグ１が一方向へ回動している間、操作部１５の嵌合部１５ｄの上端が、ダクト２の前壁部２１ｃの外面に当接（干渉）している。したがって、操作部１５は、下方に変位して、前壁部２１ｃの外面に摺動した状態を維持するので、スイッチＳはオン状態を維持する。
【００７５】
そして、プラグ１が回動している途中で、栓刃１３ａが導体２２に接触した時点から、導体２２からプラグ１を介して、電力変換部３０への給電が開始され、電力変換部３０は通電状態になる（図１１に示す時間ｔ１２の状態）。しかし、スイッチＳはオン状態を維持しているので、判定部３３の出力はＬレベルとなり、論理回路Ｋ１は、ＬＥＤ電流を定格電流より低い所定電流に調整して、ダイオードモジュール３０１の光出力を所定の調光レベルに制御する。
【００７６】
そして、図９（ｂ）に示すように、プラグ取付部１２が一方向へ略９０度回動すると、プラグ本体１１の上面の外周の一部に設けた切欠部１１２が、ケース２１の下面における一方の側縁端に設けた凸部２１ｈに係止する。このとき、プラグ取付部１２は、取付板１２ｂの突出方向がダクト２の短手方向に一致した状態となり、操作部１５の嵌合部１５ｄは、ダクト２の開口部２１ｄに対向して位置する。そして、操作部１５は、圧縮状態にあるばね１６の伸張力によって上方に移動し、嵌合部１５ｄは、上方に変位して、ダクト２の開口部２１ｄに嵌まり込み、スイッチＳはオフする（図１１に示す時間ｔ１３の状態）。したがって、判定部３３の出力はＨレベルとなり、論理回路Ｋ１は、ＬＥＤ電流を定格電流に制御して、ダイオードモジュール３０１を全点灯（光出力１００%）させる。
【００７７】
ここで、プラグ取付部１２が一方向へ９０度回動するまでは、栓刃１３ａの先端面が導体２２の表面に十分に接触していない中途半端な接触状態である。そこで、本実施形態では、プラグ１をダクト２に装着する場合、プラグ取付部１２が一方向へ９０度回動した取り付け完了位置に達するまでは、プラグ１のスイッチＳを強制的にオンさせている。すなわち、栓刃１３ａの先端面が導体２２の表面に十分に接触していない中途半端な接触状態では、ダイオードモジュール３０１は調光状態を維持するので、灯具３へ供給される電力は抑えられる。したがって、プラグ１をダクト２に装着する際に、栓刃１３ａと導体２２との間に発生するアーク放電がより確実に抑制され、過熱等の不具合を防止することができる。
【００７８】
また、本実施形態では、プラグ１をダクト２に装着する場合、ダイオードモジュール３０１は、消灯状態  →  調光状態  →  全点灯状態の順に遷移する。したがって、ダイオードモジュール３０１が消灯状態  →  全点灯状態の順に遷移する場合に比べて、プラグ１をダクト２に装着する作業者の視覚的な順応性が向上する。
【００７９】
なお、取り付け完了位置とは、栓刃１３ａの先端面が、導体２２の表面に対して、アーク放電を抑制可能な十分な接触面積で接触することが可能になる回動位置のことである。
【００８０】
また、取り付け完了位置において、操作部１５の嵌合部１５ｄがダクト２の開口部２１ｄに嵌まり込むことによって、操作部１５は、プラグ１（の栓刃１３ａ）の回動位置を取り付け完了位置に固定する位置決め部を兼用している。したがって、構造の簡略化を図ることができる。
【００８１】
次に、プラグ１をダクト２から取り外す場合、ユーザが、操作部１５の突条１５ｅに指をかけて、操作部１５を下方に押し下げることによって、嵌合部１５ｄは、下方に変位して、ダクト２の開口部２１ｄとの嵌合状態が解除される。そして、操作部１５が下方に変位することによって、スイッチＳがオンする。スイッチＳがオンすると、判定部３３の出力はＬレベルとなり、論理回路Ｋ１は、ＬＥＤ電流を定格電流より低い所定電流に調整して、ダイオードモジュール３０１の光出力を所定の調光レベルに制御する（図１１に示す時間ｔ１４の状態）。
【００８２】
そして、プラグ取付部１２は、プラグ１が他方向へ回動することによって、取付板１２ｂが、挿入溝２１ｆに挟み込まれながら摺動する。
【００８３】
プラグ１が他方向へ回動している間、操作部１５の嵌合部１５ｄの上端が、ダクト２の前壁部２１ｃの外面に当接（干渉）している。而して、操作部１４は下方に変位して、嵌合部１４ｂの上端は、ダクト２の前壁部２１ｃの外面に摺動した状態を維持する。したがって、プラグ１が他方向へ回動している間、ダイオードモジュール３０１は調光状態を維持するので、灯具３へ供給される電力は抑えられる。
【００８４】
そして、プラグ１が回動している途中で、栓刃１３ａが導体２２から離れた時点で、導体２２からプラグ１を介した電力変換部３０への給電が遮断され、電力変換部３０は停止状態になる（図１１に示す時間ｔ１５の状態）。この栓刃１３ａが導体２２から離れる瞬間、灯具３へ供給される電力は抑えられているため、プラグ１をダクト２から取り外す際に、栓刃１３ａと導体２２との間に発生するアーク放電がより確実に抑制され、過熱等の不具合を防止することができる。
【００８５】
そして、プラグ取付部１２が他方向へ略９０度回動すると、取付板１２ｂの突出方向（栓刃１３ａの突出方向）がダクト２の長手方向に一致し、プラグ取付部１２をダクト２の開口部２１ｄから外すことができる。このとき、操作部１５は、圧縮状態にあるばね１６の伸張力によって上方に移動し、スイッチＳはオフする（図１１に示す時間ｔ１６の状態）。
【００８６】
本実施形態では、プラグ１をダクト２から取り外す場合、ダイオードモジュール３０１の光出力は、全点灯状態  →  調光状態  →  消灯状態、または消灯状態  →  調光状態  →  全点灯状態の順に遷移する。したがって、ダイオードモジュール３０１の光出力が、全点灯状態  →  消灯状態、または消灯状態  →  全点灯状態の順に遷移する場合に比べて、プラグ１をダクト２から取り外す作業者の視覚的な順応性が向上する。
【００８７】
すなわち、本実施形態では、栓刃１３ａと導体２２との間に発生するアーク放電の抑制と、作業者の視覚的な順応性とを両立させることができる。
【００８８】
調光時の調光レベルは、例えば、灯具３が定格電力１０Ｗ〜５０Ｗのスポットライトである場合、１０％以下に設定される。なお、この調光レベルの設定値は、灯具３の定格電圧、定格電流に応じて、アーク放電が発生しない値に設定される。
【００８９】
また、制御部３４は、時間ｔ１２〜ｔ１３、時間ｔ１４〜ｔ１５において光出力を階段状に増減させており、調光制御を簡略化している。しかしながら、制御部３４は、時間ｔ１２〜ｔ１３における光出力を、消灯状態から全点灯状態まで徐々に増加させ、時間ｔ１４〜ｔ１５における光出力を全点灯状態から消灯状態まで徐々に減少させる構成であってもよい。この場合、プラグ１をダクト２に着脱する場合に、作業者の視覚的な順応性が一層向上する。
【００９０】
さらに、ダクト２に装着された複数の灯具３が点灯している状態であっても、これらの灯具３を消灯させることなく、任意の灯具３をダクト２に着脱することができる。
【００９１】
また、上述の実施形態１または実施形態２の照明器具Ａを用いた照明システムは、ダクト２を用いる構成を多用する店舗照明で特に有益である。
【符号の説明】
【００９２】
Ａ  照明器具
１  プラグ
１３ａ  栓刃（受電部）
１５  操作部
Ｓ  スイッチ
２  ライティングダクト
２２  導体
３  灯具
３２  点灯回路
３３  判定部
３４  制御部
３０１  ダイオードモジュール（光源）
【図１】
2014032869.tif 000003
【図２】
2014032869.tif 000004
【図３】
2014032869.tif 000005
【図４】
2014032869.tif 000006
【図５】
2014032869.tif 000007
【図６】
2014032869.tif 000008
【図７】
2014032869.tif 000009
【図８】
2014032869.tif 000010
【図９】
2014032869.tif 000011
【図１０】
2014032869.tif 000012
【図１１】
2014032869.tif 000013